(57)【要約】【課題】測定装置の接続用端子と計器の端子とを確実に接続することができ、しかも、汎用性のある測定用アダプタを提供する。【解決手段】この測定用アダプタは、既設の計器１００に配列された複数の端子１０１，１０１，…と対峙するベース１０と、各端子１０１，１０１，…に接続される測定端子接続部２０とを備えている。前記ベース１０には、前記端子１０１，１０１，…を露出させる開口部１１ｄが設けられ、該開口部１１ｄには、前記端子１０１，１０１，…の配列方向と同じ方向に向けられるレール１４，１４が架設され、前記測定端子接続部２０は、該レール１４，１４に沿って移動可能に取り付けられ、かつ、貫通した係止穴２１ｂを設けた複数の可動体２１と、該可動体２１の係止穴２１ｂに進退自在に挿通され、先端が前記端子１０１，１０１，…に接離する測定リード取付端子２２とを備えている。【選択図】図１
2011179866.tif 000002
【特許請求の範囲】
【請求項１】
既設の計器に配列された複数の端子と対峙するベースと、各端子に接続される測定端子接続部とが備えられている測定用アダプタであって、
前記ベースには、前記端子を露出させる開口部が設けられ、該開口部には、前記端子の配列方向と同じ方向に向けられるレールが架設され、前記測定端子接続部は、該レールに沿って移動可能に取り付けられ、かつ、貫通した係止穴を設けた複数の可動体と、該可動体の係止穴に進退自在に挿通され、先端が前記端子に接離する測定リード取付端子とを備えていることを特徴とする測定用アダプタ。
【請求項２】
前記測定端子接続部は、可動体の係止穴に雌ネジを形成したものとされ、測定リード取付端子に前記係止穴の雌ネジと螺合する雄ネジを形成したものとされていることを特徴とする請求項１に記載の測定用アダプタ。
【請求項３】
前記レールは、２本の平行なバーによって構成され、前記測定端子接続部の可動体には、該レールが貫通する２本の軸孔が形成されていることを特徴とする請求項１又は２に記載の測定用アダプタ。
【請求項４】
前記測定端子接続部は、可動体に前記係止穴から前記軸孔を介して側面まで貫通した貫孔が形成され、係止穴と軸孔との間の貫孔にロック部材が収納され、該ロック部材は、先端が係止穴内に突出し、測定リード取付端子が係止穴内に挿通されることにより、先端部が貫孔内に退入し、基端部が前記レールを押圧するようにされていることを特徴とする請求項３に記載の測定用アダプタ。
【発明の詳細な説明】
【技術分野】
【０００１】
本発明は、既設の電力量計、配線用遮断器その他の計器に備えられた端子に測定装置の測定リード端子を接続させるための測定端子接続部などが備えられた測定用アダプタに関する。
【背景技術】
【０００２】
電力量計の計量誤差を測定する場合や配電用遮断器の消費電力を測定する場合は、電力計や配電用遮断器（以下、「計器」という。）に備えられた端子に測定装置の接続用端子が一時的に接続される。しかし、計器の端子の形状と測定装置の接続用端子の形状とは、対応していないことから、直接、両者を接続することができない。
【０００３】
例えば、計器の端子が奥まった位置にネジの頭部によって設けられるのに対して、測定装置の測定用端子がワニ口クリップであると、測定装置の測定用端子は計器の端子を挟むことができない。そこで、このような場合に、計器の端子と測定装置の接続用端子とを確実に接続するための測定用アダプタが各種提供されている。
【０００４】
例えば、特許文献１には、既設の計器に設けられた端子カバー取付用ネジ穴に締め込まれる一対のアダプタ板取付具と、このアダプタ板取付具を移動可能に装備するアダプタ板と、このアダプタ板に移動可能に装備された複数の電圧端子検出具とを備えた電圧検出アダプタが記載されている。そして、電圧端子検出具は、奥側端が探針とされて計器の端子に当接し、外端側に測定装置の電圧検出プラグが差し込まれる深穴を形成したものとされている。
【０００５】
この電圧検出アダプタは、アダプタ板取付具が計器に設けられた端子カバー取付用ネジ穴に位置合わせされて仮止めの締め付けをした後、電圧端子検出具が計器の電圧端子に位置合わせされ、アダプタ板取付具が端子カバー取付用ネジ穴にしっかりとネジ止めされる。すると、電圧端子検出具が電圧端子に接続され、測定装置の電圧検出プラグが電圧端子検出具に挿し込まれることによって、計器の測定が行われる。
【０００６】
しかし、この電圧検出アダプタは、アダプタ板取付具が端子カバー取付用ネジ穴に締め付けられ、アダプタ板を確実に固定するようにされているものの、電圧端子検出具の奥側が探針によって構成されているため、電圧端子検出具の長さや電圧端子の高さが様々であることから、この電圧端子検出具を計器の電圧端子に確実に接触させることができない場合がある。そこで、計器の電圧端子が凸状とされている場合において、計器の電圧端子と確実に電気的に接続することができる接続部を備えたアダプタが特許文献２に記載されている。
【０００７】
このアダプタは、図４に示すように、電気機器である計器１００に備えられて電線Ｌを固定した凸状の電圧端子１０１を外嵌した状態に装着する複数の筒状の接続部１１０と、この接続部１１０を相対変位可能に固定した本体部１２０と、この本体部１２０を計器１００に固定する固定手段１３０とを備えている。前記本体部１２０は、各接続部１１０をそれぞれ保持する複数の保持片１２１と、各保持片１２１同士を相互に連結した蛇腹状の連結部位１２２とを備え、連結部位１２２が伸縮することによって各保持片１２１同士及び接続部１１０が相対変位できるようにされている。
【０００８】
このアダプタは、接続部１１０が計器１００に対して相対変位できるようにされているため、複数の凸状の電圧端子１０１が異なる間隔で設けられていても、接続部１１０が計器１００の各電圧端子１０１と対峙するように位置合わせし、接続部１１０と電圧端子１０１との装着状態を良好にすることができる。したがって、このアダプタは、測定装置の接続用端子１が接続部１１０に接続されることによって、測定装置の接続用端子１と計器１００の電圧端子１０１とを容易かつ確実に接続することができる。
【０００９】
なお、本体部１２０の各保持片１２１には、接続部１１０を挿通させた状態で保持するための保持孔部１２１ａが形成され、この保持孔部１２１ａは、接続部１１０を挿通させる保持孔と、この保持孔の外周を囲む周縁部とを備えている。周縁部は、接続部１１０を相対変位可能とするため、湾曲形状や蛇腹状に形成されている。そして、接続部１１０は、周縁部に対して接着剤などで固定される。
【先行技術文献】
【特許文献】
【００１０】
【特許文献１】特許２９８０４１４号公報
【特許文献２】特開２００９−１７６５０７公報
【発明の概要】
【発明が解決しようとする課題】
【００１１】
特許文献２に記載されたアダプタは、接続部１１０が保持孔部１２１ａの周縁部によって相対変位可能とされているものの、相対変位できる範囲が限定されているだけでなく、相対変位した位置を微調整したうえで固定することができないものになっている。したがって、特許文献２に記載されたアダプタは、接続部１１０と計器１００の電圧端子１０１とを確実に接続することができないことがある。
【００１２】
また、特許文献２に記載されたアダプタの接続部１１０は、凸状の電圧端子１０１を外嵌する筒状に形成されていることから、電圧端子１０１の外径と接続部１１０の内径とが同一の場合に確実に接続され、同一でない場合には接触不良を起こす。さらに、特許文献２に記載されたアダプタは、凸状でない電圧端子１０１に対して使用することを前提としていないことから、汎用性がないものとなっている。
【００１３】
そこで、本発明は、測定装置の接続用端子と計器の端子とを確実に接続することができ、しかも、汎用性のある測定用アダプタを提供することを課題とする。
【課題を解決するための手段】
【００１４】
本発明に係る測定用アダプタは、既設の計器に配列された複数の端子と対峙するベースと、各端子に接続される測定端子接続部とが備えられている測定用アダプタであって、前記ベースには、前記端子を露出させる開口部が設けられ、該開口部には、前記端子の配列方向と同じ方向に向けられるレールが架設され、前記測定端子接続部は、該レールに沿って移動可能に取り付けられ、かつ、貫通した係止穴を設けた複数の可動体と、該可動体の係止穴に進退自在に挿通され、先端が前記端子に接離する測定リード取付端子とを備えていることを特徴としている。
【００１５】
この測定用アダプタによれば、測定端子接続部が移動可能にレールに取り付けられていることにより、計器の各端子の間隔が均等でなくても、測定端子接続部の測定リード取付端子が計器の端子と対峙するように可動体を移動し、測定リード取付端子を計器側に進入させることによって、測定リード取付端子の先端部を計器の端子に当接させることができる。そして、測定装置の接続用端子が測定リード取付端子に接続されると、この測定リード取付端子を介して、測定装置の接続用端子と計器の端子とが確実に接続される。
【００１６】
また、本発明に係る測定用アダプタにおいて、前記測定端子接続部は、可動体の係止穴に雌ネジを形成したものとされ、測定リード取付端子に前記係止穴の雌ネジと螺合する雄ネジを形成したものとされていることが好ましい。
【００１７】
この測定用アダプタによれば、雌ネジを形成した係止穴に雄ネジを形成した測定リード取付端子が螺合するようにされ、測定リード取付端子が締められることで、測定リード取付端子が進行し、先端部が計器の端子に当接し、計器の端子から離間しない良好な接続状態を確実に維持することができるものとされている。
【００１８】
また、本発明に係る測定用アダプタにおいて、前記レールは、２本の平行なバーによって構成され、前記測定端子接続部の可動体には、該レールが貫通する２本の軸孔が形成されていることが好ましい。
【００１９】
この測定用アダプタによれば、２本の平行なバーによって構成されたレールが可動体に形成された軸孔を貫通することにより、可動体が安定した姿勢で移動するようにすることができる。
【００２０】
また、本発明に係る測定用アダプタにおいて、前記測定端子接続部は、可動体に前記係止穴から前記軸孔を介して側面まで貫通した貫孔が形成され、係止穴と軸孔との間の貫孔にロック部材が収納され、該ロック部材は、先端が係止穴内に突出し、測定リード取付端子が係止穴内に挿通されることにより、先端部が貫孔内に退入し、基端部が前記レールを押圧するようにされていることが好ましい。
【００２１】
この測定用アダプタによれば、測定リード取付端子が係止穴内に挿通されていない状態において、ロック部材は先端部が係止穴内に突出し、レールを押圧しないため、可動体がレールに規制されつつ移動することができ、そして、測定リード取付端子が係止穴内に挿通されると、ロック部材の先端部が測定リード取付端子に押圧されて貫孔内に退入し、基端部がレールを押し付けることによって可動体がその位置から移動しないように固定した状態とされる。
【発明の効果】
【００２２】
本発明によれば、可動体の係止穴に挿通される測定リード取付端子が計器の端子と対峙するように可動体が移動し、測定リード取付端子が計器側に進入することによって計器の端子に当接するようにした測定用アダプタが提供されることにより、この測定用アダプタの測定リード取付端子に測定装置の接続用端子が接続されることで、測定装置の接続用端子と計器の端子とを確実に接続することができる。
【図面の簡単な説明】
【００２３】
【図１】本発明に係る測定用アダプタの一実施形態を示す概略分解斜視図である。
【図２】本発明に係る測定用アダプタの一実施形態を示す断面平面図である。
【図３】本発明に係る測定用アダプタの一実施形態を示し、（ａ）は位置決めされていない測定端子接続部の断面側面図、（ｂ）は位置決めされた測定端子接続部の断面側面図である。
【図４】従来の測定用アダプタを計器に取り付けた状態を示す概略斜視図である。
【発明を実施するための形態】
【００２４】
本発明に係る測定用アダプタの一実施形態について図１ないし図３を参照しながら説明する。この測定用アダプタは、既設の電力量計、配電用遮断器、その他の計器１００に配列された複数の端子１０１，１０１，…と対峙するベース１０と、各端子１０１，１０１，…に接続される測定端子接続部２０とを備えている。
【００２５】
計器１００は、メータなどの表示部の下側に電線を接続する端子台１０２を設け、端子台１０２の表面に電線を固定するネジが露出している。このネジが測定端子接続部２０を接続する端子１０１，１０１，…として使用される。なお、端子１０１，１０１，…は、通常、端子カバー（図示せず）によって覆われ、測定するときに端子カバーが外され、露出するようにされている。
【００２６】
そして、測定用アダプタのベース１０は、端子カバーが外された状態の端子台１０２の両端を挟むようにして端子台１０２に取り付けるもので、平面視Ｌ字形の本体部１１と、平面視Ｌ字形のスライダ１２とを組み合わせたものとされている。
【００２７】
この本体部１１は、正面部１１ａと折曲部１１ｂとを有し、正面部１１ａの先端付近に固定用孔１１ｃを形成したものとされている。また、スライダ１２は、正面部１２ａと折曲部１２ｂとを有し、正面部１２ａに長孔１２ｃを形成したものとされている。そして、スライダ１２の正面部１２ａが本体部１１の正面部１１ａの先端側に重なり合い、このスライダ１２の長孔１２ｃから本体部１１の固定用孔１１ｃにネジ１３が通され、本体部１１の折曲部１１ｂとスライダ１２の折曲部１２ｂとの間隔を端子台１０２の幅に合わせて固定することができるようにされている。なお、本体部１１の折曲部１１ｂとスライダ１２の折曲部１２ｂの各内面は、例えば磁石が備えられ、端子台１０２に容易に固定することができるようにしてもよい。
【００２８】
そして、ベース１０の本体部１１の正面部１１ａには、端子１０１，１０１，…を露出させる開口部１１ｄが設けられている。この開口部１１ｄ内の上下の位置には、例えば２本の平行なバーによって構成されるレール１４，１４が左右方向（複数の端子１０１，１０１，…が配列された方向）に架設されている。
【００２９】
そして、測定端子接続部２０には、このレール１４，１４に沿って開口部１１ｄ内を移動する絶縁性のブロック状の可動体２１が備えられている。可動体２１の上部と下部には、レール１４，１４が貫通する軸孔２１ａ，２１ａが形成されている。また、可動体２１の中心には、雌ネジを形成した係止穴２１ｂが設けられている。
【００３０】
この係止穴２１ｂには、導電性の測定リード取付端子２２が進退自在に挿通されている。したがって、測定リード取付端子２２には、係止穴２１ｂの雌ネジと螺合する雄ネジが形成され、ネジが締められると奥側（端子１０１に向かう方向）に進入して先端部が計器１００の端子１０１，１０１，…と接続し、ネジが緩められると外側に退出するようにされている。
【００３１】
また、測定リード取付端子２２は、中間部に鍔状の固定部２２ａが固定され、作業者が固定部２２ａを摘むことで、ネジを回しやすいようにされている。固定部２２ａは、図示したような円盤状以外に四角形その他の多角形としてもよく、周囲に滑り止めを設けたものとしてもよい。
【００３２】
さらに、測定リード取付端子２２は、外端側に雌ネジを形成したスクリュウ２２ｂが螺合されている。こうすることで、測定装置の接続用端子がワニ口クリップや先開型圧着端子である場合に、これらの接続用端子が測定リード取付端子２２の固定部２２ａよりも外側を挟み、スクリュウ２２ｂが締められることで、スクリュウ２２ｂと固定部２２ａとの間に接続用端子を締め付け、外れないようにすることができる。なお、測定リード取付端子２２は、外端側に深穴を形成したものとすることで、いわゆるバナナ端子が挿入されるようにしてもよい。
【００３３】
そして、可動体２１は、図３に示すように、係止穴２１ｂから軸孔２１ａを介して側面まで貫通した貫孔２１ｃを形成したものとされている。この貫孔２１ｃは、係止穴２１ｂ側で先細りに形成されている。
【００３４】
そして、係止穴２１ｂと軸孔２１ａ，２１ａとの間の部分の貫孔２１ｃには、ロック部材２３が収納されている。ロック部材２３は、先細りに形成された貫孔２１ｃから係止穴２１ｂ内に突出・退入する突出部材２３ａと、この突出部材２３ａとレール１４，１４とに挟まれるように貫孔２１ｃ内に収納された押さえ部材２３ｂとを組み合わせたものとされている。
【００３５】
突出部材２３ａは、測定リード取付端子２２が押し当てられて貫孔２１ｃ内に退入するようにされているため、耐摩耗性に優れた金属によって成形されている。また、突出部材２３ａは、測定リード取付端子２２に押し当てられたときに、スムーズに貫通孔内に退入することができるように、先端側が円錐状に形成されている。この突出部材２３ａは、貫通孔が先細りに形成されていることによって、係止穴２１ｂ内に抜け落ちることがない。また、押さえ部材２３ｂは、レール１４と密着するように、レール１４側が樋形状に、そしてゴムなどの弾性材料によって形成されている。
【００３６】
このような可動体２１は、レール１４，１４が軸孔２１ａ，２１ａに挿通されていない状態において、突出部材２３ａと押さえ部材２３ｂとが側面から貫孔２１ｃ内に挿入され、その後、レール１４，１４が軸孔２１ａ，２１ａに挿通されることによって組み立てられる。貫孔２１ｃは、軸孔２１ａの部分でレール１４によって塞がれる状態となるため、突出部材２３ａ及び押さえ部材２３ｂは、貫孔２１ｃから抜け出ることがないようにされている。
【００３７】
この測定用アダプタは、以上のように構成され、次に、使用方法について説明する。まず、計器１００の端子カバーが外され、露出した端子１０１，１０１，…と対峙するようにベース１０を端子台１０２に取り付ける。測定される計器１００の端子台１０２の幅に合わせて、換言すれば、ベース１０の本体部１１の折曲部１１ｂとスライダ１２の折曲部１２ｂが端子台１０２の各端面を挟むようにスライダ１２の位置を調整し、ネジを締めてスライダ１２を本体部１１に固定する。
【００３８】
そして、端子台１０２の端子１０１，１０１，…の間隔は、計器１００ごとに異なるため、測定端子接続部２０が端子１０１，１０１，…と対峙するように可動体２１を開口部１１ｄ内で移動させる。このとき、測定リード取付端子２２が可動体２１の係止穴２１ｂ内に挿通されておらず、レール１４，１４がロック部材２３の押さえ部材２３ｂに押圧されていないことから、可動体２１はレール１４，１４に方向が規制されて移動することができる。
【００３９】
そして、可動体２１の係止穴２１ｂが計器１００の端子１０１と対峙すると、係止穴２１ｂに測定リード取付端子２２を挿通する。測定リード取付端子２２は、可動体２１の係止穴２１ｂ内にわずかに突出しているロック部材２３の突出部材２３ａを貫孔２１ｃ内に退入させる。そうすると、ロック部材２３の押さえ部材２３ｂがレール１４を押圧し、可動体２１はその位置で仮固定された状態となる。
【００４０】
そして、測定リード取付端子２２をさらに進入させることで、測定リード取付端子２２の先端部２２ｃを計器１００の端子１０１，１０１，…に当接させる。ロック部材２３の押さえ部材２３ｂが弾性材料によって形成されていることにより、測定リード取付端子２２は、押さえ部材２３ｂを圧縮しながら進行する。そして、測定リード取付端子２２は、可動体２１の係止穴２１ｂに形成された雌ネジと螺合する雄ネジを形成したものとされているため、先端部２２ｃが計器１００の端子１０１と当接した状態を確実に維持することができる。
【００４１】
そして、測定装置の測定用端子を測定リード取付端子２２の外側端に接続することで、この測定用端子が測定リード取付端子２２を介して計器１００の端子１０１，１０１，…と接続され、測定装置は計器１００を測定することができる。
【００４２】
また、測定装置の測定用端子１がワニ口クリップであると、スクリュウ２２ｂと固定部２２ａとが図２の真中の測定リード取付端子２２に示すようにワニ口クリップを挟むことで、ワニ口クリップが測定リード取付端子２２から外れにくいようにされている。また、測定装置の測定用端子１が先開型圧着端子であると、図２の右側の測定リード取付端子２２に示すように、スクリュウ２２ｂがベース１０付近まで締められ、先開型圧着端子が測定リード取付端子２２から外れにくいようにされている。したがって、この測定用アダプタは、測定装置が計器１００を正確に測定することができるものとされている。
【００４３】
また、測定リード取付端子２２は、計器１００の意図しない端子１０１に当たることがないため、アークが発生しないようにすることができ、このことにより、作業者が感電したり、計器１００や需要家の設備が損傷しないようにすることができる。
【００４４】
なお、本発明は、前記実施の形態に限定することなく、種々変更することができる。例えば、係止穴２１ｂと測定リード取付端子２２とは、それぞれ雌ネジと雄ネジとを形成したものでなく、強い摩擦力で測定リード取付端子２２が係止穴２１ｂ内に挿通されるようにしてもよい。
【００４５】
また、可動体２１には、軸孔２１ａ，２１ａを形成することなく、両側面に溝を形成し、２本のレール１４，１４が溝にはまるようにしてもよいし、さらに軸孔２１ａ，２１ａも溝も形成しないで、２本の帯状のレール１４，１４が側面を挟むようにしてもよい。
【００４６】
また、ロック部材２３は、突出部材２３ａと押圧部材とをゴムなどの弾性部材によって一体成形してもよい。さらに、測定リード取付端子２２が係止穴２１ｂを侵入し、測定リード取付端子２２の先端部２２ｃが計器１００の端子１０１を押圧する反作用で、可動体２１がレール１４，１４を押圧する付勢力を利用するようにすることで、ロック部材２３を省略し、したがって、可動体２１に貫孔２１ｃを形成していないものとすることもできる。
【００４７】
さらに、計器１００は、端子１０１，１０１，…が３個並列されている場合を図示したが、４個以上並列されている場合でも同様にこの測定用アダプタを使用することができる。この場合において、測定用アダプタは、測定端子接続部２０を３個だけ備えていてもよいし、４個以上備えたものとしてもよい。
【符号の説明】
【００４８】
１０………ベース
１１ｄ……開口部
１４………レール
２０………測定端子接続部
２１………可動体
２１ａ……軸孔
２１ｂ……係止穴
２１ｃ……貫孔
２２………測定リード取付端子
２３………ロック部材
１００……計器
１０１……端子
【図１】
2011179866.tif 000003
【図２】
2011179866.tif 000004
【図３】
2011179866.tif 000005
【図４】
2011179866.tif 000006